(57)【要約】【課題】内部に溜まっている汚物を捨てて洗浄して繰り返し使える真空掃除機用集塵フィルタを提供する。【解決手段】集塵室の空気流入口と通ずる空気流入孔が形成された第１ケース部材と；第１ケース部材との間に所定空間を形成するように第１ケース部材に結合され、その側面には前記空気流入孔を通して流入される空気の排出経路を形成するための複数の空気排出孔が形成された第２ケース部材；及び前記所定空間の空気排出経路上に位置するように設けられ、前記空気排出経路を経由して前記空気排出孔へ排出される空気に含まれた汚物を分離して収去する汚物分離手段とを含む。第１及び第２ケース部材は円筒形に構成され、第１ケース部材の側面には複数の固定溝部が形成され、第２ケース部材の側面には前記固定溝部に係止するようにホックを備えた複数の弾性固定片が設けられ、第１ケース部材と第２ケース部材を選択的に分離することができるように構成される。【選択図】      図３
2004174205.tif 000002
【特許請求の範囲】
【請求項１】
真空掃除機の集塵室に取付けられ、前記集塵室の空気流入口を通して流入される空気に含まれた汚物を分離収去する半永久的に使用可能な真空掃除機用集塵フィルタであって、
前記集塵室の空気流入口と通ずる空気流入孔が形成された第１ケース部材と；前記第１ケース部材との間に所定空間を形成するように前記第１ケース部材に結合され、その側面には前記空気流入孔を通して流入される空気の排出経路を形成するための複数の空気排出孔が形成された第２ケース部材；及び
前記所定空間の空気排出経路上に位置するように設けられ、前記空気排出経路を経由して前記空気排出孔へ排出される空気に含まれた汚物を分離して収去する汚物分離手段とを含むことを特徴とする真空掃除機用集塵フィルタ。
【請求項２】
前記第１及び第２ケース部材は円筒形に構成され、前記第１ケース部材の側面には複数の固定溝部が形成され、前記第２ケース部材の側面には前記固定溝部に係止するようにホックを備えた複数の弾性固定片が設けられ、前記第１ケース部材と第２ケース部材を選択的に分離することができることを特徴とする請求項１に記載の真空掃除機用集塵フィルタ。
【請求項３】
前記汚物分離手段は、
大きい汚物を１次分離する第１汚物分離部材；及び
前記第１汚物分離部材によって分離しない微細汚物を２次分離する第２汚物分離部材とを含むことを特徴とする請求項２に記載の真空掃除機用集塵フィルタ。
【請求項４】
前記第１汚物分離部材は、前記第１ケース部材の空気流入孔と通ずる開放部を備えた円通形ボディーの外周面に前記第２ケース部材の空気排出孔と通ずる複数の流路が形成されてなるグリルで構成され、前記第２汚物分離部材は、前記グリルの外周面に位置するスポンジ材質の微細埃用フィルタとして構成されることを特徴とする請求項３に記載の真空掃除機用集塵フィルタ。
【請求項５】
前記第２ケース部材の略中央部には前記グリルの取付け位置を定めるための位置固定突起が形成され、前記グリルの前記位置固定突起と対応する位置に前記位置固定突起が受容される位置固定溝が形成されることを特徴とする請求項４に記載の真空掃除機用集塵フィルタ。
【請求項６】
前記第２ケース部材の縁部には、前記微細埃用フィルタを支持するための複数の支持リブが形成されていることを特徴とする請求項４又は５に記載の真空掃除機用集塵フィルタ。
【請求項７】
前記第１汚物分離部材は、前記第２ケース部材に一体に形成され、第１ケース部材の空気流入孔と通ずる前面開放部と前記第２ケース部材の空気排出孔と通ずる複数の側面開放部とが備えられたフレームの前記側面開放部に網状体が取付けられてなるグリルで構成され、前記第２汚物分離部材は、前記グリルの外周面に位置する不織布材質の微細埃用フィルタとして構成されることを特徴とする請求項３に記載の真空掃除機用集塵フィルタ。
【請求項８】
前記微細埃用フィルタは、汚物分離面積を広くするための複数のギャザー部を有することを特徴とする請求項７に記載の真空掃除機用集塵フィルタ。
【請求項９】
吸込みブラシと連結される空気流入口及び空気排出口が備えられた集塵室を有する掃除機本体と；
前記空気排出口によって前記集塵室と連通するように前記掃除機本体の集塵室の後方に形成された駆動室に設けられ、前記集塵室に負圧を提供する真空発生装置；及び
前記集塵室に取付けられ、該集塵室へ流入される空気に含まれた汚物を分離収去する半永久的に使用可能な集塵フィルタと；
を含み、
前記集塵フィルタは、
前記集塵室の空気流入口と通ずる空気流入孔が形成された第１ケース部材と；前記第１ケース部材との間に所定空間を形成するように前記第１ケース部材に結合され、その側面には前記空気流入孔を通して流入される空気の流路を形成するための複数の空気排出孔が形成された第２ケース部材；及び
前記所定空間の空気流路に位置するように設けられ、前記空気流路を経由して前記複数の空気排出孔へ排出される空気に含まれた汚物を分離して収去する汚物分離手段とを含むことを特徴とする真空掃除機。
【請求項１０】
前記第１及び第２ケース部材は円筒形に構成され、前記第１ケース部材の側面には複数の固定溝部が形成され、前記第２ケース部材の側面には前記固定溝部に係止するようにホックを備えた複数の弾性固定片が設けられ、前記第１ケース部材と第２ケース部材を選択的に分離することができることを特徴とする請求項９に記載の真空掃除機。
【請求項１１】
前記汚物分離手段は、
大きい汚物を１次分離する第１汚物分離部材；及び
前記第１汚物分離部材によって分離しない微細汚物を２次分離する第２汚物分離部材とを含むことを特徴とする請求項１０に記載の真空掃除機。
【請求項１２】
前記第１汚物分離部材は、前記第１ケース部材の空気流入孔と通ずる開放部を備えた円通形ボディーの外周面に前記第２ケース部材の空気排出孔と通ずる複数の流路が形成されてなるグリルで構成され、前記第２汚物分離部材は、前記グリルの外周面に位置するスポンジ材質の微細埃用フィルタとして構成されることを特徴とする請求項１１に記載の真空掃除機。
【請求項１３】
前記第２ケース部材の略中央部には前記グリルの取付け位置を定めるための位置固定突起が形成され、前記グリルの前記位置固定突起と対応する位置に前記位置固定突起が受容される位置固定溝が形成されることを特徴とする請求項１２に記載の真空掃除機。
【請求項１４】
前記第２ケース部材の縁部には、前記微細埃用フィルタを支持するための複数の支持リブが形成されることを特徴とする請求項１２又は１３に記載の真空掃除機。
【請求項１５】
前記第１汚物分離部材は、前記第２ケース部材に一体に形成され、第１ケース部材の空気流入孔と通ずる前面開放部と前記第２ケース部材の空気排出孔と通ずる複数の側面開放部とが備えられたフレームの前記側面開放部に網状体が取付けられてなるグリルで構成され、前記第２汚物分離部材は、前記グリルの外周面に位置する不織布材質の微細埃用フィルタとして構成されることを特徴とする請求項１１に記載の真空掃除機。
【請求項１６】
前記微細埃用フィルタは、汚物分離面積を広くするための複数のギャザー部を有することを特徴とする請求項１５に記載の真空掃除機。
【発明の詳細な説明】
【０００１】
【発明の属する技術分野】
本発明は、真空掃除機のフィルタに関し、より詳しくは、内部に溜まっている汚物を捨てた後、洗浄して繰り返し使える集塵フィルタ及びそれを備えた真空掃除機に関する。
【０００２】
【従来の技術】
一般に、真空掃除機は、真空発生装置によって吸込み口で発生される吸込み力を用いて被掃除面にある埃及び各種異物質（以下、汚物という）を空気と共に吸込み、吸込まれた空気中に含まれた汚物をフィルタで分離収去する構成を有する。
【０００３】
前記のようなフィルタとしては一般に紙フィルタが使用されている。この紙フィルタは使い捨てフィルタで、内部に汚物が溜まると掃除機から取出して汚物と共に廃棄処理する。よって、紙フィルタは、掃除機の維持費用増やす要因となる。また、前記紙フィルタは、その構造上細菌が繁殖するのに良い環境を提供するので、非衛生的で且つ取り替えが煩わしいという短所がある。
【０００４】
【発明が解決しようとする課題】
よって、本発明の目的は、内部に溜まっている汚物を捨てて洗浄して繰り返し使える、即ち半永久的に使用できる真空掃除機用集塵フィルタを提供することにある。
【０００５】
本発明の他の目的は、衛生的で細菌が繁殖しにくく、且つ掃除機集塵室への取付けや取り外しが容易な真空掃除機用集塵フィルタを提供することにある。
【０００６】
また、本発明の他の目的は、前記のような特徴を有する集塵フィルタを備えることにより、維持費用を低減できるだけでなく使いやすい真空掃除機を提供することにある。
【０００７】
【課題を解決するための手段】
前記目的を果たすための本発明に係る真空掃除機用集塵フィルタは、真空掃除機の集塵室に取付けられ、前記集塵室の空気流入口を通して流入される空気に含まれた汚物を分離収去するものであって、前記集塵室の空気流入口と通ずる空気流入孔が形成された第１ケース部材と；前記第１ケース部材との間に所定空間を形成するように前記第１ケース部材に結合され、その側面には前記空気流入孔を通して流入される空気の排出経路を形成するための複数の空気排出孔が形成された第２ケース部材；及び前記所定空間の空気排出経路上に位置するように設けられ、前記空気排出経路を経由して前記空気排出孔へ排出される空気に含まれた汚物を分離して収去する汚物分離手段とを含み、汚物が溜まると汚物を捨てた後、洗浄して繰り返し使えて、半永久的に使用できることを特徴とする。
【０００８】
本発明によると、従来の紙フィルタを使用することによる取り替え費用を低減でき、細菌繁殖のおそれがないため衛生的で、更にその取付け及び取り外しが容易なので、掃除機使用の便利性を図れる。
【０００９】
また、本発明の望ましい実施の形態では、前記第１及び第２ケース部材は円筒形に構成され、前記第１ケース部材の側面には複数の固定溝部が形成され、前記第２ケース部材の側面には前記固定溝部に係止するようにホックを備えた複数の弾性固定片が設けられ、前記第１ケース部材と第２ケース部材を選択的に分離することができる。
【００１０】
また、前記汚物分離手段は、大きい汚物を１次分離する第１汚物分離部材；及び前記第１汚物分離部材によって分離しない微細汚物を２次分離する第２汚物分離部材とを含むことができる。
【００１１】
前記第１汚物分離部材は、前記第１ケース部材の空気流入孔と通ずる開放部を備えた円通形ボディーの外周面に前記第２ケース部材の空気排出孔と通ずる複数の流路が形成されてなるグリルで構成され得、前記第２汚物分離部材は、前記グリルの外周面に位置するスポンジ材質の微細埃用フィルタとして構成され得る。
【００１２】
また、前記第１汚物分離部材は、前記第２ケース部材に一体に形成され、第１ケース部材の空気流入孔と通ずる前面開放部と前記第２ケース部材の空気排出孔と通ずる複数の側面開放部とが備えられたフレームの前記側面開放部に網状体が取付けられてなるグリルで構成され得、前記第２汚物分離部材は、前記グリルの外周面に位置する不織布材質の微細埃用フィルタとして構成され得る。
【００１３】
一方、本発明の他の目的を果たすための真空掃除機は、吸込みブラシと連結される空気流入口及び空気排出口が備えられた集塵室を有する掃除機本体と；前記空気排出口によって前記集塵室と連通するように前記掃除機本体の集塵室の後方に形成された駆動室に設けられ、前記集塵室に負圧を提供する真空発生装置；及び前記集塵室に取付けられ、該集塵室へ流入される空気に含まれた汚物を分離収去する半永久的に使用可能な集塵フィルタとを含むことを特徴とする。
【００１４】
前記集塵フィルタは、前記集塵室の空気流入口と通ずる空気流入孔が形成された第１ケース部材と；前記第１ケース部材との間に所定空間を形成するように前記第１ケース部材に結合され、その側面には前記空気流入孔を通して流入される空気の流路を形成するための複数の空気排出孔が形成された第２ケース部材；及び前記所定空間の空気流路に位置するように設けられ、前記空気流路を経由して前記複数の空気排出孔へ排出される空気に含まれた汚物を分離して収去する汚物分離手段とを含む。
【００１５】
【発明の実施の形態】
上記の目的及び他の長所は、本発明の望ましい実施の形態を図面に基づいて詳述することにより明らかになる。
【００１６】
図１乃至図３に示したように、本発明の一実施の形態に係る真空掃除機用集塵フィルタは、第１ケース部材１０、第２ケース部材２０、及び汚物分離手段３０とを含む。本発明の集塵フィルタは、内部に汚物が溜まると第１及び第２ケース部材１０、２０を分離して収去した汚物を捨てた後、洗浄して繰り返し使える即ち半永久的に使用できることを特徴とする。各構成要素を具体的に説明すると次の通りである。
【００１７】
第１ケース部材１０は、１０ａと側面１０ｂとを有する円筒形に形成される。
前面１０ａの中央部には空気流入孔１１が形成され、側面１０ｂには複数の固定溝部１２が形成される。空気流入孔１１は、図５に示したように、本発明の集塵フィルタ１００を掃除機本体２００の集塵室２１０に取付けるとき、集塵室２１０に形成された空気流入口２１１と連通する。よって、集塵室２１０の後方に隔壁２２０によって区切られた駆動室２３０に取付けられた真空発生装置３００が駆動すると、空気流入孔１１を通して吸込みブラシ（図示せず）から汚物を含んだ空気が集塵フィルタ１００へ吸込まれる。図５において符号２２１は集塵室２１０の空気排出口であり、この空気排出口２２１によって集塵室２１０と駆動室２３０が連通する。
【００１８】
第２ケース部材２０は、第１ケース部材１０との間に所定空間を形成するように第１ケース部材１０に結合され、後面２０ａと側面２０ｂとを有する円筒形に形成される。側面２０ｂには、空気流入孔１１を通して流入される空気の排出経路を形成するための複数の空気排出孔２１が形成される。また、側面２０ｂでは、第１ケース部材１０の固定溝部１２に係止するホック２２ａを備えた複数の弾性固定片２２が一定間隔を隔てて設けられる。また、後面２０ａにおいて、中央部には位置固定突起２３が形成され、縁部には複数の支持リブ２４が一定間隔を隔てて形成される。位置固定突起２３と支持リブ２４については後述する。
【００１９】
汚物分離手段３０は、第１及び第２ケース部材１０、２０が結合することにより、その内部に形成される所定空間の前記空気排出経路上に位置するように設けられ、前記空気排出経路を経由して複数の空気排出孔２１へ排出される空気に含まれた汚物を分離して収去する役割をする。このような汚物分離手段３０は、大きい汚物を１次分離する第１汚物分離部材３１と、第１汚物分離部材３１によって分離しない微細汚物を２次分離する第２汚物分離部材３５とを備える。
【００２０】
第１汚物分離部材３１は、第１ケース部材１０の空気流入孔１１と通ずる開放部を備えた円筒形ボディー３２の外周面に第２ケース部材２０の空気排出孔２１と通ずる複数の流路３３が形成されて成っているグリルで構成される。流路３３は図示例と同様の通孔で、またはスリットで構成され得るなど、その形状及び構造は図示例に限定されるものではない。また、円筒形ボディー３２の前記開放部の反対面外側の略中央部には第２ケース部材２０に形成された位置固定突起２３が受容される位置固定溝３４が形成される。このような第１汚物分離部材３１は、その開放部が第１ケース部材１０に密着され、且つ位置固定溝３４に第２ケース部材２０の位置固定突起２３が受容される状態で、第１及び第２ケース部材１０、２０間の空間に設けられる。汚物を含んだ空気は、空気流入孔１１及び第１汚物分離部材３１の開放部を通して第１汚物分離部材３１の内部へ流入された後、第１汚物分離部材３１の側面に形成された複数の流路３３を通して排出される。このとき、空気中に含まれた汚物は、流路３３を通過できないため分離収去され、その浄化された空気は、流路３３及び第２ケース部材２０の空気流出孔２１を通して排出される。
【００２１】
第２汚物分離部材３５は、前記グリルの外周面を覆う形態で第１及び第２ケース部材１０、２０の間の空間部に配置され、スポンジなどのような多孔性材質で成る両側が開放された円筒形微細埃用フィルタとして構成される。これにより、第１汚物分離部材３１によって分離されずに空気と共に排出される微細汚物が２次分離され、よって、排出空気はよりきれいに浄化できる。ここで、第２汚物分離部材３５は、一端は第１ケース部材１０の側面１０ｂの内側で支持され、多端は第２ケース部材２０の後面２０ａに形成された数個の支持リブ２４によって支持されて設けられる。
【００２２】
図４は、本発明の他の実施の形態に係る真空掃除機用集塵装置を示した図である。本発明の他の実施の形態に係る集塵フィルタ１００Ａの基本構造、即ち、第１ケース部材１０、第２ケース部材２０、及び汚物分離手段３０Ａとを含む基本構造は、前述した一実施の形態の場合とそれほど異ならない。但し、本実施の形態に係る集塵フィルタ１００Ａでは、汚物分離手段３０Ａの構成が異なっており、以下、汚物分離手段３０Ａについて詳述し、その他の構成は前述した一実施の形態と同一符号を付し、具体的な説明を省略する。
【００２３】
図４に示したように、汚物分離手段３０Ａは、汚物を含む空気に含まれた大きい汚物を１次分離する第１汚物分離部材３１と、第１汚物分離部材３１によって分離しない微細汚物を２次分離する第２汚物分離部材３５という基本構成を有するが、第１汚物分離部材３１が第２ケース部材２０に一体に形成されている特徴を有する。
【００２４】
具体的には、第１汚物分離部材３１は、第２ケース部材２０の後面２０ａの内面に一体に形成され、第１ケース部材１０の空気流入孔１１と通ずる前面開放部と第２ケース部材２０の空気排出孔２１と通ずる複数の側面開放部とが備えられたフレーム３１１の前記側面開放部に網状体３１２が設けられて成っているグリルで構成されている。また、第２汚物分離部材３５は、前記グリルの外周面に位置する不織布材質の微細埃用フィルタで構成される。
【００２５】
第２汚物分離部材３５は、上下ブラケット３５１、３５２の間に不織布３５３が設けられた構造になっており、特に不織布３５３は汚物分離面積を広くするために複数のギャザー部を有する。
【００２６】
以下、前記のように構成された本発明に係る集塵フィルタを備える真空掃除機の作用について図５及び図６に基づいて説明する。集塵フィルタ１００は、図５及び図６で示すように、真空掃除機本体２００の集塵室２１０に着脱自在に取付けられる。このとき、集塵フィルタ１００の空気流入孔１１が集塵室２１０の空気流入口２１１と連通するように設けられる。
【００２７】
よって、掃除を開始して駆動室２３０の真空発生装置３００が駆動すると、集塵室２１０に強い負圧が発生し、それにより、吸込みブラシ（図示せず）を通して被掃除面にある各種汚物を含んだ空気が集塵室２１０側へ吸込まれる。
【００２８】
前記吸込まれた空気は、集塵室２１０の空気流入口２１１、集塵フィルタ１００の空気流入孔１１を通って集塵フィルタ１００の内部へ流入された後、第１汚物分離部材３１の流路３３、第２汚物分離部材３５、集塵フィルタ１００の空気排出孔２１、集塵室２１０、空気排出口２２１、駆動室２３０を経由して外部へ排出される。
【００２９】
このとき、空気中に含まれた大きい汚物は、第１汚物分離部材３１の流路３３を通り過ぎることができないので空気から分離して第１汚物分離部材３１の内部に収去され、この第１汚物分離部材３１によって分離しない微細汚物は第２汚物分離部材３５によって２次分離され、汚物が分離され浄化された空気は前記した排出経路に沿って外部へ排出される。
【００３０】
一方、第１汚物分離部材３１に汚物が溜まると、集塵フィルタ１００を掃除機本体２００の集塵室２１０から分離した後、集塵フィルタ１００の第１及び第２ケース部材１０、２０を分離して、その内部の第１汚物分離部材３１に収去した汚物を捨てる。このとき、第２汚物分離部材３５の掃除も共に行う。次いで、それらを洗浄して組み立てた後、再び掃除機本体２００の集塵室２１０に取付けて使用する。
【００３１】
【発明の効果】
以上で説明したように、本発明では、吸込まれる空気に含まれた汚物を分離収去する集塵フィルタを半永久的に使用できるので、従来の紙フィルタの取り替えにかかる費用を低減でき、よって掃除機の維持費用を減らすことができる。
【００３２】
また、本発明では、集塵フィルタの構造が細菌が繁殖しにくい構造を有しているので、周辺環境を衛生的に維持でき、且つ集塵フィルタの分離及び装着が容易なので掃除機を使用するときに便利である。
【００３３】
つまり、本発明では、修理維持費用が少なく済み、衛生的で、且つ使いやすい真空掃除機、即ち、使用者の立場から非常に満足してもらえる真空掃除機を提供することができる。
【００３４】
本発明は、前述した特定の望ましい実施例に限らず、請求の範囲で請求する本発明の要旨を逸脱せず当該発明の属する技術分野において通常の知識を有する者なら誰でも多様な変形実施が可能である。よって、その種の適切な変形及び修正並びに均等物も本発明の記載された請求の範囲内にある。
【図面の簡単な説明】
【図１】本発明の一実施の形態に係る真空掃除機用集塵フィルタを示す分解斜視図である。
【図２】図１の組み立て状態の斜視図である。
【図３】図２に示された本発明の一実施の形態に係る集塵フィルタの内部構造及び汚物分離過程を示す半断面図である。
【図４】本発明の他の実施の形態に係る真空掃除機用集塵フィルタを示す分解斜視図である。
【図５】本発明に係る集塵フィルタが真空掃除機の集塵室に取付けられた状態を示す断面図である。
【図６】図５の平面図である。
【符号の説明】
１０    第１ケース部材
１１    空気流入孔
１２    固定溝部
２０    第２ケース部材
２１    空気排出孔
２２    弾性固定片
２３    位置固定突起
２４    支持リブ
３０，３０Ａ  汚物分離手段
３１    第１汚物分離部材
３３    流路
３４    位置固定溝
３５    第２汚物分離部材
１００、１００Ａ  集塵フィルタ
２００  掃除機本体
２１０  集塵室
２１１  集塵室の空気流入口
２２０  隔壁
２２１  空気排出口
２３０  駆動室
３００  真空発生装置
【図１】
2004174205.tif 000003
【図２】
2004174205.tif 000004
【図３】
2004174205.tif 000005
【図４】
2004174205.tif 000006
【図５】
2004174205.tif 000007
【図６】
2004174205.tif 000008